(57)【特許請求の範囲】
【請求項１】
移動自在の空気清浄機の機械本体上に、室内を分けるエアーカーテンを形成する吹出口を有したパイプ状のエアーカーテン発生機を、前記エアーカーテンの形成方向を変換できるように回転自在に立設して、一体に構成してなり、前記エアーカーテン発生機の上部に転倒防止のアジャスターを設け、且つ前記機械本体にエアーカーテンにて分けたいずれか一方の空間に臨む吸引口及び他方の空間に臨む排出口を設けると共に、これら吸引口及び排出口の間の機械本体内に送風機及びエアー浄化機を設けることで、前記室内の形状に沿い前記室内をエアーカーテンで吸引口側空間と排出口側空間とに分けるべく、前記空気清浄機を移動すると共に前記エアーカーテン発生機を回転し前記アジャスターにて固定して、前記排出口からの清浄化エアーの排出量を少なくともエアーカーテンによる外部巻込エアー量よりも大となるように設定し、前記吸引口側空間内を負圧状態にすると共に喫煙空間としたことを特徴とする喫煙空間創建機。
【請求項２】
前記機械本体に設けた前記吸引口と前記排出口とは、互いに１８０度反対に位置している請求項１記載の喫煙空間創建機
【請求項３】
前記エアーカーテン発生機は、複数方向のエアーカーテンを形成する吹出口を有する請求項１又は２記載の喫煙空間創建機
【請求項４】
前記複数方向のエアーカーテンは、互いに少なくとも９０度の角度を有している請求項３記載の喫煙空間創建機
【発明の詳細な説明】
【０００１】
【発明の属する技術分野】
本発明は、建築物、航空機、車両等の室内に仕切りを作ったり障害物を設置したりせずに、エアーカーテンにより自由自在に室内の一角を囲い、その一角を喫煙空間にして喫煙空間外の室内に煙や臭いを直接出さないようにした喫煙空間創建機に関する。
【０００２】
【従来の技術】
従来、室内の一角を仕切ってその場所を喫煙コーナーや喫茶室にする方法として、つい立てを使用する場合が多い。このつい立てはあくまで間仕切りが目的であるから、上部空間からエアーが流出入するから内部あるいは外部の汚染されたエアー（煙草の煙、排気ガス、有害ガス）や悪臭が流出入する弊害が生じる。
【０００３】
そこで、この弊害を防止するため、図１８に示すようなエアーカーテン発生装置を内蔵したつい立てがある。このつい立てａは、送風機ｂを内蔵し上部にエアーカーテンを形成する吹出口ｃを設置し、更に側面に吸引口ｄを設置してなる。このつい立てａにて吸引口ｄを内側にして室内の一角を囲う。更に、このつい立てａの設置場所上方の天井ｅに吸引ファンｆを設置している。送風機ｂを作動させて吹出口ｃからエアーを吹き出しエアーカーテンｇを形成して、床ｈ、天井ｅ、つい立てａ等と相まって喫煙空間ｉをつくり、この喫煙空間ｉ内のエアーを天井ｅの吸引ファンｆにて外部に排出して喫煙空間ｉ内を負圧にして、室内の他の空間に汚染エアーや悪臭を流出しないようにしている。
【０００４】
また、図１９に示すような喫煙ユニット（実開平７−３５９２７号公報参照）がある。この喫煙ユニットは、天井部ｊの周囲に吹出口ｃがあり天井部ｊの中央部に吸引口ｄがあって、吹出口ｃからのエアーカーテンｇにより床ｈ、天井部ｊと相まって喫煙空間ｉをつくり、この喫煙空間ｉ内のエアーを天井部ｊの吸引口ｄにて吸引排出して喫煙空間ｉ内を一時的に負圧にして、室内の他の空間に煙や悪臭を流出しないようにし、天井部ｊ内にある空気清浄機により清浄エアーとして再び吹出口ｃから吹き出し、循環させているものである。
【０００５】
【発明が解決しようとする課題】
しかしながら、上述の図１８に示す例では、室内の一角をつい立てａにて仕切って、直ぐにその場所を喫煙コーナーや喫茶室にすることは出来ても、人の往来するような所に簡易的に作ることが出来ず、見通しもきかない結果となる。
【０００６】
また、図１９の喫煙ユニットは、大がかりなものであるから、容易に移動出来ず、臨時の喫煙コーナーを室内の一角に作るというようなことは不可能であり、予め大きさが決まっているから、広いスペースを臨時の喫煙コーナーにするということもで出来ない。また、天井部ｊを支持する支柱ｋが必要となり、更に、天井ｅに吊るすようなタイプにしても、一部空間ｉ内を一時的に負圧状態にすることが出来ても、中央部にある吸引口ｄから吸い込んだエアーは、その全量を再び吹出口ｃからのエアーカーテンｇとするから、結局は喫煙空間ｉ内を恒常的に負圧状態にすることが出来ず、室内の他の空間に煙や悪臭が流出してしまい良好な喫煙空間ｉとなりずらい。
【０００７】
そこで、本発明は、上記事情に鑑みてなされたもので、室内に仕切りを作ったり障害物を設置したりせず、室内を広い範囲にわたり自由自在に囲い、その空間内を安定した負圧状態に保持して、煙をその空間内から流出させないで、清浄化して室内に戻し循環することが出来る喫煙空間創建機を提供することを課題とする。
【０００８】
【課題を解決するための手段】
上記課題を解決するため、請求項１記載の発明は、移動自在の空気清浄機の機械本体上に、室内を分けるエアーカーテンを形成する吹出口を有したパイプ状のエアーカーテン発生機を、前記エアーカーテンの形成方向を変換できるように回転自在に立設して、一体に構成してなり、前記エアーカーテン発生機の上部に転倒防止のアジャスターを設け、且つ前記機械本体にエアーカーテンにて分けたいずれか一方の空間に臨む吸引口及び他方の空間に臨む排出口を設けると共に、これら吸引口及び排出口の間の機械本体内に送風機及びエアー浄化機を設けることで、前記室内の形状に沿い前記室内をエアーカーテンで吸引口側空間と排出口側空間とに分けるべく、前記空気清浄機を移動すると共に前記エアーカーテン発生機を回転し前記アジャスターにて固定して、前記排出口からの清浄化エアーの排出量を少なくともエアーカーテンによる外部巻込エアー量よりも大となるように設定し、前記吸引口側空間内を負圧状態にすると共に喫煙空間としたことを特徴とする。
【０００９】
したがって、この特徴によれば、空気清浄機を移動すると共にエアーカーテン発生機を回転操作して室内を希望する境目でエアーカーテンにより分け、このエアーカーテンを境にした空間内の吸引口から吸い込んだエアーを、エアー浄化機により清浄エアーにし排出口から排出する際、このエアー排出量をエアーカーテンによる外部巻込エアー量よりも多く吸引口側から排出口側に吸引排出すると、吸引口側空間を負圧状態に保持出来、室内を希望する境目で喫煙空間にし且つアジャスターにて固定して転倒防止をすることが出来る。
【００１０】
請求項２記載の発明は、前記機械本体に設けた前記吸引口と前記排出口とは、互いに１８０度反対に位置していることを特徴とする。したがって、この特徴によれば、エアーカーテン発生機から吹き出されたエアーカーテンは吸引口及び排出口から最も影響を受け難く、エアーカーテンから最も離れた吸引口側空間のエアーを吸い込み、エアーカーテンから最も離れた排出口側空間に吐き出せる。
【００１１】
請求項３記載の発明は、前記エアーカーテン発生機は、複数方向のエアーカーテンを形成する吹出口を有することを特徴とする。したがって、この特徴によれば、複数方向にエアーカーテンを形成するから、室内をなお一層希望する境目で分けたり出来、機数も少なくすることが出来る。
【００１２】
請求項４記載の発明は、前記複数方向のエアーカーテンは、互いに少なくとも９０度の角度を有していることを特徴とする。したがって、この特徴によれば、エアーカーテンは吸引口及び排出口から影響を受けない。
【００１３】
【発明の実施の形態】
以下、本発明の実施の形態を図１〜１７に基づいて詳述する。
図１は本発明の実施の形態である喫煙空間創建機を示す斜視図、図２は喫煙空間創建機の断面図である。両図において、１は喫煙空間創建機を示し、この喫煙空間創建機１は、移動自在の空気清浄機１１の機械本体８上に、室内２を分けるエアーカーテン３を形成する吹出口４を有したパイプ状のエアーカーテン発生機５を、前記エアーカーテン３の形成方向を変換できるように回転自在に立設して、一体に構成してなり、前記エアーカーテン発生機５の上部に転倒防止のアジャスター２５を設け、且つ前記機械本体８にエアーカーテン３にて分けたいずれか一方の空間に臨む吸引口６及び他方の空間に臨む排出口７を設けると共に、これら吸引口６及び排出口７の間の機械本体８内に送風機９及びエアー浄化機１０を設けることで、前記室内２の形状に沿い前記室内２をエアーカーテン３で吸引口側空間と排出口側空間とに分けるべく、前記空気清浄機１１を移動すると共に前記エアーカーテン発生機５を回転し前記アジャスター２５にて固定して、前記排出口７からの清浄化エアーの排出量を少なくともエアーカーテン３による外部巻込エアー量Ｑよりも大となるように設定し、前記吸引口側空間内を負圧状態にすると共に喫煙空間１２としたものである。
【００１４】
前記エアーカーテン発生機５は、図３に示すように、パイプ２０に吸込口２１及び吹出口４を設けると共にパイプ２０内に送風機２２を設けてなる。図３の吹出口４はスリットであるが、その形状は特に限定されず、エアーカーテン３を形成するものであれば良い。したがって、この吹出口４は、複数の孔を並べても、更に複数のノズルを並べても良い。いずれにしても、吹出口４がオリフィス板の役目を担って圧力損失の原因になる構造としてはならない。送風機２２はモータ２３の両側に羽根車２４、２４が装設されている。なお、エアーカーテン発生機５は、パイプ２０内に送風機２２を設けないで、吹出口４のみあるパイプ２０に前記空気清浄機１１からの清浄エアーの一部を送るようにしても差し支えない。
【００１５】
また、エアーカーテン発生機５ａは、図４に示すように、パイプ２０の長手方向に１の吹出口４ａ及び他の吹出口４ｂを、少なくともβ＝９０度以上、理想的にβ＝１８０度の範囲で２列、設けてあっても良い。このように１の吹出口４ａ及び他の吹出口４ｂが設けてあると、２方向のエアーカーテンが得られて、室内２の一角を喫煙空間とする際、都合が良いケースが多く生じる。
【００１６】
そして、エアーカーテン発生機５のパイプ２０上部にはアジャスター２５が設けられ、喫煙空間創建機１を設置した際天井に当接させてその転倒を防止する。一方、パイプ２０下部には取付フランジ２６が設けられ、前記空気清浄機１１の上面に螺着されている。このエアーカーテン発生機５の吹出口４からのエアーカーテン３の形成方向は、変換自在になっているが、その詳細は以下の通りである。
【００１７】
すなわち、図５に示すように、空気清浄機１１の機械本体８の上板３０に円孔３１が等間隔、すなわち、１２０度ごとに３か所穿設され、３本のボルト３２が通されて上板３０に溶接されている。さらに、図３に示すように、これら３本のボルト３２に合わせて、エアーカーテン発生機５の取付フランジ２６に円弧状長孔２６ａが等間隔に３か所、少なくともα＝４５度範囲以上、最大α＝９０度範囲に穿設されている。そして、図６が示すように、これら３か所の取付フランジ２６の円弧状長孔２６ａに３本のボルト３２を通し、さらに、座金３３及び締付ナット３４をボルト３２に緩めに螺着し、希望するエアーカーテン３の形成方向にエアーカーテン発生機５を回転移動、すなわち、４５度以上９０度の範囲まで回転移動した後、ボルト３２に締付ナット３４を強く螺着する。
【００１８】
なお、ボルト３２から座金３３及び締付ナット３４を外せば、空気清浄機１１からエアーカーテン発生機５を取り外せることは言うまでもなく、４５度以上９０度の範囲の回転移動に規制されることなく、エアーカーテン発生機５を空気清浄機１１上で回転移動できる。したがって、勝手違いの喫煙空間創建機１を製作する必要もない。
【００１９】
また、図７、８が示すように、吹出口４からのエアーカーテン３の吹出方向を変換出来るようにするため、エアーカーテン発生機５は、その吹出口４に吹出方向変換装置３５を内蔵しても良い。この吹出方向変換装置３５は、左右方向変換板３６と上下方向変換板３７とを有する。左右方向変換板３６は、図７の実線及び２点鎖線で示すように動かすことにより、その吹出方向を左右に変換できる。上下方向変換板３７は、図８の実線及び２点鎖線で示すように動かすことにより、その吹出方向を上下に変換できる。
【００２０】
したがって、その状況に応じて、図５、６が示す構成で、吹出口４からのエアーカーテン３の吹出方向を変換したり、図７、８に示す吹出方向変換装置３５を操作して、気流の変化等により喫煙空間１２を調整出来る。なお、上下方向変換板３７は、使用頻度が低いことが予想されるから、無くても良い。
【００２１】
前記空気清浄機１１は、直方体をなす機械本体８の一側板に吸引口６を、その１８０度反対の他側板に排出口７を有している。これは、前記エアーカーテン発生機５の吹出口４からのエアーカーテン３の吹出方向と、吸引口６及び排出口７の軸方向とをほぼ直交させるためである。すなわち、エアーカーテン３と吸引口６及び排出口７双方とが最も遠くなり、エアーカーテン３に最も影響を与えないことになる。
【００２２】
そして、機械本体８に内蔵されるエアー浄化機１０は、汚染エアー中の比較的大きな粒子を除去するプレフィルター４０と、プレフィルター４０通過後の微粒子を除去する集塵フィルター４１と、臭気成分を除去する脱臭フィルター４２とからなる。この集塵フィルター４１と脱臭フィルター４２との間に送風機９が位置している。なお、機械本体８の下面にはキャスター４３が取り付けられ、空気清浄機１２単独あるいはエアーカーテン発生機５付きの空気清浄機１１を自在に移動出来る。
【００２３】
次に、上記構成になる喫煙空間創建機１を使用して、室内の一角を喫煙空間１２とする方法について述べる。
図９は喫煙空間創建機１を使用した最も簡単な喫煙空間１２を作り出す方法を示すもので、この室内２の一角は、壁４４、すなわち、壁４４ａ、４４ｂ、４４ｃで囲まれているから、その壁４４ａに沿わせて喫煙空間創建機１を設置する。この際、壁４４ｂに吸引口６を向け、壁４４の無い方向に排出口７を向け、さらに、壁４４ｃにエアーカーテン発生機５の吹出口４を向けて、喫煙空間創建機１を設置する。そして、喫煙空間創建機１を作動させると、エアーカーテン発生機５の吹出口４からエアーが吹き出て、エアーカーテン３を形成してそれを境に室内２を喫煙空間１２と非喫煙空間１２ａとに分ける。一方、空気清浄機１１の吸引口７に喫煙空間１２内のエアーが吸引されて、エアー浄化機１０により清浄化され、排出口７から非喫煙空間１２ａに排出される。この排出エアー量は、エアーカーテン３による外部巻込エアー量Ｑよりも大であるから、喫煙空間１２を負圧状態にする。したがって、喫煙空間１２内で煙草を吸うと、その煙は非喫煙空間１２ａに出ることなく、吸引口６にエアーと共に吸引されて、清浄化され清浄エアーとして、非喫煙空間１２ａに排出される。なお、室内２の気流の変化に対応して、空気清浄機１１上でエアーカーテン発生機５を回転移動して、吹出口４からのエアーカーテン３の吹出方向を変換することも出来る。
【００２４】
図１０は喫煙空間創建機１を２台使用し、３方を壁４４ａ、４４ｂ、４４ｃで囲まれた室内２の一角に喫煙空間１２を作り出す方法を示すもので、喫煙空間創建機１の一方を勝手違いに調整して、壁４４ａに喫煙空間創建機１を、壁４４ｃに勝手違いの喫煙空間創建機１ａを設置する。双方の吹出口４からのエアーカーテン３を当てるようにして、それらを境に室内２を喫煙空間１２と非喫煙空間１２ａとに分ける。その他の構成、作用は図９の場合と同様である。
【００２５】
図１１は喫煙空間創建機１を４台使用し、３方を壁４４ａ、４４ｂ、４４ｃで囲まれた室内２の一角に喫煙空間１２を作り出す方法を示すもので、喫煙空間創建機１の２台を勝手違いに調整して、壁４４ａに１台の喫煙空間創建機１を、壁４４ｃに勝手違いの１台の喫煙空間創建機１ａを、壁４４ａと壁４４ｃとの中間に１台の喫煙空間創建機１と勝手違いの１台の喫煙空間創建機１ａとを隣接して設置する。図１０の場合と同様にエアーカーテン３を当てるようにして、それらを境に室内２を喫煙空間１２と非喫煙空間１２ａとに分ける。その他の構成、作用は図９の場合と同様である。
【００２６】
図１２は喫煙空間創建機１を７台使用し、３方を壁４４ａ、４４ｂ、４４ｃで囲まれた広大な室内２の一角に喫煙空間１２を作り出す方法を示すもので、上記した図９、１０、１１の方法とほぼ同様であるが、エアーカーテンを２方向に形成するエアーカーテン発生機５ａ付の喫煙空間創建機１ｂを１台設置してある点で異なる。さらに、喫煙空間１２内に３台の分煙機５０を設置してある。その他の構成、作用は図９の場合と同様である。
【００２７】
なお、この分煙機５０は、現在最もベーシックな形であり、通称二重天板（後に詳述する天板及び遮蔽板が在ることに由来する）と呼ばれるもので、その近傍で煙草を吸うと、その煙を直ちに吸引清浄化するものである。この分煙機５０は、図１３、１４に示すように、天板５１に箱体５２を設けて分煙機本体５３を構成している。この天板５１に吸引口５４を設け、天板５１上に設けた支柱５５に固定した遮蔽板５６と、支柱５５を囲んだネット状物５７とを有している。この分煙機本体５３の下面に排出口５８を、側面にバイパス排出口５９を設けている。そして、吸引口５４と排出口５８との間の分煙機本体５３内に、送風機６０及び喫煙空間創建機１のエアー浄化機１０と同様な空気清浄化装置１０ａを内蔵している。
【００２８】
このような分煙機５０を喫煙空間１２内に設ける意義は、図１２の広大な室内２の一角に作り出された喫煙空間１２で、喫煙者が煙草を吸って煙が出ても、喫煙空間創建機１、１ａ、１ｂは、その煙を直ちに吸引して清浄化するものではないから、喫煙者といえども他人の吐いた煙は嫌なものであることを考えると、喫煙空間１２内に分煙機５０を設置することは充分意義のあるものである。
【００２９】
図１５は喫煙空間創建機１及び１ａを２台使用し、２方を壁４４ａ、４４ｂで囲まれた室内２の一角に喫煙空間１２を作り出す方法を示すもので、上記した図９、１０、１１の方法とほぼ同様であるが、空気清浄機１１上でエアーカーテン発生機５を回転移動して、吹出口４からのエアーカーテン３の吹出方向を若干変換している。
【００３０】
図１６はエアーカーテン３を２方向に形成するエアーカーテン発生機５ａ付の喫煙空間創建機１ｂを１台使用し、３方を壁４４ａ、４４ｂ、４４ｃで囲まれた室内２の一角に喫煙空間１２を作り出す方法を示すものである。壁４４ａ、４４ｃのほぼ中間に喫煙空間創建機１ｂを設置し、エアーカーテン発生機５ａの２列の吹出口４からの反対方向の２つのエアーカーテン３により、それらを境に室内２を喫煙空間１２と非喫煙空間１２ａとに分ける。その他の構成、作用は図９の場合と同様である。
【００３１】
図１７はエアーカーテン３を２方向に形成するエアーカーテン発生機５ａ付の喫煙空間創建機１ｂを１台使用し、２方を壁４４ａ、４４ｂで囲まれた室内２の一角に喫煙空間１２を作り出す方法を示すものである。壁４４ａ、４４ｂから等距離の位置に喫煙空間創建機１ｂを設置し、エアーカーテン発生機５ａの２列の吹出口４からの２つのエアーカーテン３を壁４４ａ、４４ｂに向け、それらを境に室内２を喫煙空間１２と非喫煙空間１２ａとに分ける。その他の構成、作用は図９の場合と同様である。
【００３２】
【発明の効果】
以上詳述したように、本発明の喫煙空間創建機によれば、以下のような効果がある。
請求項１の発明は、空気清浄機を移動すると共にエアーカーテン発生機を回転操作して室内を希望する境目でエアーカーテンにより分け、このエアーカーテンを境にした空間内の吸引口から吸い込んだエアーを、エアー浄化機により清浄エアーにし排出口から排出する際、このエアー排出量をエアーカーテンによる外部巻込エアー量よりも多く吸引口側から排出口側に吸引排出すると、吸引口側空間を負圧状態に保持出来、室内を希望する境目で喫煙空間にし且つアジャスターにて固定して転倒防止をすることが出来る。
【００３３】
したがって、室内に仕切りを作ったり障害物を設置したりせず、室内を広い範囲にわたり自由自在に囲い、その空間内を安定した負圧状態に保持して喫煙空間にし、煙をその喫煙空間から流出させないで、清浄化して室内に戻し循環することが出来き、しかも転倒の心配なく安全である。
【００３４】
請求項２の発明は、エアーカーテン発生機から吹き出されたエアーカーテンは、吸引口及び排出口から最も影響を受け難く、エアーカーテンから最も離れた吸引口側空間のエアーを吸い込み、エアーカーテンから最も離れた排出口側空間に吐き出せる。したがって、上記効果に加えて、エアーカーテンが安定するから、広い範囲を喫煙空間としてより安定して確保出来る。
【００３５】
請求項３の発明は、複数方向にエアーカーテンを形成するから、室内をなお一層希望する境目で分けたり出来、機数も少なくすることが出来る。したがって、機数少なくして、室内を喫煙空間にし易く、より一層対応が楽になる。
【００３６】
請求項４の発明は、エアーカーテンは吸引口及び排出口から影響を受けない。したがって、エアーカーテンが安定するから、室内を喫煙空間としてより安定して確保出来る。
【００３７】
【図面の簡単な説明】
【図１】本発明の実施の形態である喫煙空間創建機を示す斜視図。
【図２】本発明の実施の形態である喫煙空間創建機を示す断面図。
【図３】本発明の実施の形態である喫煙空間創建機を構成するエアーカーテン発生機の斜視図。
【図４】本発明の他のエアーカーテン発生機の斜視図。
【図５】本発明の実施の形態である喫煙空間創建機を構成する空気清浄機上部の斜視図。
【図６】本発明のエアーカーテン発生機と空気清浄機との取り付け状態を示す断面図。
【図７】本発明の他のエアーカーテン発生機を示す横断面図。
【図８】本発明の他のエアーカーテン発生機を示す縦断面図。
【図９】本発明の喫煙空間創建機を利用した喫煙空間の創設例を示す平面図。
【図１０】本発明の喫煙空間創建機を利用した喫煙空間の創設例を示す平面図。
【図１１】本発明の喫煙空間創建機を利用した喫煙空間の創設例を示す平面図。
【図１２】本発明の喫煙空間創建機を利用した喫煙空間の創設例を示す平面図。
【図１３】本発明の喫煙空間創建機を利用した喫煙空間内に設置する空気清浄機を示す斜視図。
【図１４】図１３の空気清浄機の断面図。
【図１５】本発明の喫煙空間創建機を利用した喫煙空間の創設例を示す平面図。
【図１６】本発明の喫煙空間創建機を利用した喫煙空間の創設例を示す平面図。
【図１７】本発明の喫煙空間創建機を利用した喫煙空間の創設例を示す平面図。
【図１８】従来例を示す断面図
【図１９】従来例を示す斜視図
【符号の説明】
１、１ａ、１ｂ          喫煙空間創建機
２                      室内
３、ｇ                  エアーカーテン
４、４ａ、４ｂ、ｃ      吹出口
５、５ａパイプ状エアーカーテン発生機（エアーカーテン発生機）
６、５４、ｄ            吸引口
７、５８                排出口
８                      機械本体
９、２２、６０、ｂ      送風機
１０                    エアー浄化機
１０ａ                  空気清浄化装置
１１                    空気清浄機
１２、ｉ                喫煙空間
１２ａ                  非喫煙空間
２０                    パイプ
２１                    吸込口
２３                    モータ
２４                    羽根車
２５                    アジャスター
２６                    取付フランジ
２６ａ                  円弧状長孔
３０                    上板
３１                    円孔
３２                    ボルト
３３                    座金
３４                    締付ナット
３５                    吹出方向変換装置
３６                    左右方向変換板
３７                    上下方向変換板
４０                    プレフィルター
４１                    集塵フィルター
４２                    脱臭フィルター
４３                    キャスター
４４、４４ａ、４４ｂ、４４ｃ      壁
５０                    分煙機
５１                    天板
５２                    箱体
５３                    分煙機本体
５５、ｋ                支柱
５６                    遮蔽板
５７                    ネット状物
５９                    バイパス排出口
ａ                      つい立て
ｅ                      天井
ｆ                      吸引ファン
ｈ                      床
ｊ                      天井部
【図１】
0003931308.tif 000002
【図２】
0003931308.tif 000003
【図３】
0003931308.tif 000004
【図４】
0003931308.tif 000005
【図５】
0003931308.tif 000006
【図６】
0003931308.tif 000007
【図７】
0003931308.tif 000008
【図８】
0003931308.tif 000009
【図９】
0003931308.tif 000010
【図１０】
0003931308.tif 000011
【図１１】
0003931308.tif 000012
【図１２】
0003931308.tif 000013
【図１３】
0003931308.tif 000014
【図１４】
0003931308.tif 000015
【図１５】
0003931308.tif 000016
【図１６】
0003931308.tif 000017
【図１７】
0003931308.tif 000018
【図１８】
0003931308.tif 000019
【図１９】
0003931308.tif 000020